(57)【要約】      （修正有）【課題】アイロン掛けの際に衣類の乾燥に必要な熱量が不足するという不都合を無くし、底板の急激な温度低下を無くしたアイロン。【解決手段】ニクロム棒のような別の発熱体を備えた底板９を発熱体で加熱しながらアイロンの底から熱風冷風が出せるように従来のアイロン１０のメッシュ状のヒーター２、インバータファン送風機５、空気の通り道４、空気孔８、別の発熱体を備えた底板９とメッシュ状のヒーター２の個別の温度やインバータ送風機５の風量調整や底板９以外を止めることもできる切換えスイッチ１を備え、アイロン掛けの際衣類を別の発熱体を備えた底板９で温めながら熱風で衣類から出る水蒸気を吸収もしくは吹き飛ばしながら奥の奥まで乾燥させたり冷風で衣類の焦げを防止できる。【選択図】図１
2010046467.tif 000002
【特許請求の範囲】
【請求項１】
エアシールカバー７でエアシールした従来のアイロン１０内部の空間にある空気にメッシュ状のヒーター２による加熱を加わえることにより飽和水蒸気曲線図３によって証明される加熱による飽和水蒸気量上昇分、上限上昇分の水蒸気の吸収力をもたせることで水の沸騰点にも関係するより乾燥し易い空気を作り、その加熱した空気をインバータ送風機５でニクロム棒のような別の発熱体を備えた底板９を発熱体により加熱しながら行うアイロン掛けの際に空気孔８から直接衣類の奥の奥まで吹き抜けさせてアイロン掛けを早め、乾燥力を上げたり、メッシュ状のヒーター２の温度を下げ、衣類の過熱による焦げなどの防止の為インバータ送風機５から冷風を送れるもので、同じ温度と圧力で比較したときも従来からあるスチームアイロンよりも空気に含まれる水蒸気量が極端に少なく、水の沸点にも関係することと飽和水蒸気曲線で証明されるようにスチームよりも優れた乾燥力で、特に梅雨の季節に多い生乾きの無いことと厚手などにおいても通常期に示される優れた乾燥力とそれによる短時間でアイロン掛けできるメッシュ状のヒーター機能と風圧を補う為にインバータ送風機５を付けニクロム棒のような別の発熱体を備えた底板９を併せもつ上記構造のアイロン。
【発明の詳細な説明】
【発明の分野】
【０００１】  エアシールカバー７でエアシールした従来のアイロン１０内部の空間にある空気にメッシュ状のヒーター２による加熱を加わえることにより飽和水蒸気曲線図３によって証明される加熱による飽和水蒸気量上昇分、上限上昇分の水蒸気の吸収力をもたせることで水の沸騰点にも関係するより乾燥し易い空気を作り、その加熱した空気をインバータ送風機５でニクロム棒のような別の発熱体を備えた底板９を発熱体により加熱しながら行うアイロン掛けの際に空気孔８から直接衣類の奥の奥まで吹き抜けさせてアイロン掛けを早め、乾燥力を上げたり、メッシュ状のヒーター２の温度を下げ、衣類の過熱による焦げなどの防止の為インバータ送風機５から冷風を送れるもので、同じ温度と圧力で比較したときも従来からあるスチームアイロンよりも空気に含まれる水蒸気量が極端に少なく、水の沸点にも関係することと飽和水蒸気曲線で証明されるようにスチームよりも優れた乾燥力で、特に梅雨の季節に多い生乾きの無いことと厚手などにおいても通常期に示される優れた乾燥力とそれによる短時間でアイロン掛けできるメッシュ状のヒーター機能と風圧を補う為にインバータ送風機５を付けニクロム棒のような別の発熱体を備えた底板９を併せもつ上記構造のアイロン。
【背景技術】
【０００２】  従来からアイロンが利用されているが、本発明に関する例は、特に無い。
【発明の開示】
【発明が解決しようとする課題】
【０００３】  しかし、従来のようなアイロンでは、衣類のしわを伸ばして乾燥さす為に金属性の底板からの加熱はあったが、底板のみでは衣類の奥の奥まで十分に熱が伝わらなかったり、特に梅雨の季節に多いこととして発生した蒸気がスチームを用いたとしても衣類の乾燥を妨げたり温度が下がると液化し、厚手などのアイロン掛けの時間が長くなるとか生乾きといった不都合が生じること、季節に関係無く衣類表面のみの加熱で表面温度が上昇し過ぎたとき、衣類に焦げ跡ができることがあり非常に不便であった。
また、底板加熱用の熱源一つではアイロン掛けの際に衣類の乾燥に必要な唯一の熱源である底板の熱量が不足することがあり、この不都合においても時間が掛かり非常に不便であった。
本発明は、この様な衣類の奥の奥まで十分に熱が伝わらなかったり、発生した蒸気が衣類の乾燥を妨げたり温度が下がるとすぐ液化し、厚手などのアイロン掛けの時間が長くなるとか生乾きが生じること、衣類表面のみの加熱で表面温度が上昇し過ぎたとき衣類に焦げ跡ができること、熱源一つでは衣類の乾燥に必要な唯一の熱源である底板の熱量が不足することがありアイロン掛けに時間が掛かるといった不都合を解決することを課題とする。
【課題を解決するための手段】
【０００４】  この課題を解決するための請求項１の発明は、ニクロム棒のような別の発熱体を備えた底板９を発熱体で加熱しながらアイロンの底から熱風冷風が出せるように従来のアイロン１０にメッシュ状のヒーター２、インバータファン送風機５、空気の通り道４、空気８、別の発熱体を備えた底板９とメッシュ状のヒーター２の個別の温度やインバータ送風機５の風量調整や底板９以外を止めることもできる切換えスイッチ１を備えたことを特徴とする熱風アイロンである。アイロン掛けの際衣類を別の発熱体を備えた底板９で温めながら熱風で衣類から出る水蒸気を吸収もしくは吹き飛ばしながら奥の奥まで乾燥させたり冷風で衣類の焦げを防止できる。
【発明の効果】
【０００５】  図３を元に説明すると、本発明により、衣類のアイロン掛けの際底板からの加熱とメッシュ状のヒーター２で加熱した熱気をインバータ送風機５で底板９に設けた空気孔８（底板のどこに設けても良い）から衣類の隙間へ風圧で吹き抜けさすことで奥の奥まで十分に熱を伝えることができ、乾燥させながら発生した蒸気を吹き飛ばすことにより蒸気が衣類の乾燥を妨げたり温度が下がると液化し、厚手などのアイロン掛けの時間が長くなるとか生乾きといった不都合が生じることも無くなり、衣類表面のみの加熱では過熱の為表面温度を上昇させ過ぎることがあり衣類に焦げ跡ができるという不都合が生じたが底板９と熱風の二つの加熱により表面に熱を集中せずとも衣類に熱を伝えることができ、場合によっては熱風温度を冷風側へ下げることで過熱による衣類の焦げ跡ができるという不都合も解決できた。
また、熱源を二つにすることによりアイロン掛けの際に衣類の乾燥に必要な熱量が不足するという不都合を無くし、底板の急激な温度低下も無くなった為アイロン掛けに時間が掛かるといった不都合を解決することもできた。
【発明を実施するための最良の形態】
【０００６】  図１は、ニクロム棒のような別の発熱体を備えた底板９を発熱体で加熱しながらアイロンの底から衣類の隙間へ熱風冷風が出せるように従来のアイロン１０にメッシュ状のヒーター２、インバータ送風機５、空気の通り道４、空気孔８、別の発熱体を備えた底板９とメッシュ状のヒーター２の個別の温度やインバータ送風機５の風量調節等の為の切換えスイッチ１を備えたことを特徴とする、インバータ送風機とメッシュ加熱の熱風アイロンの正面図である。同図に示すように別の発熱体で底板を加熱しながらアイロン掛けする際、メッシュ状のヒーター２で加熱した空気をインバータ送風機５で空気孔８から衣類の下方の奥の奥の隙間まで吹き抜けさすことにより衣類から発生する蒸気を熱風で吸収もしくは吹き飛ばしてアイロン掛けを早め下方奥まで乾燥さすことで梅雨時期などの季節に多い生乾きを防止したり冷風で衣類の過熱による焦げも防止できる。【０００７】  本発明の熱風機構は、使い易い形であればアイロンの何処につけてもよいし、熱風の吹出し口である気孔８も底板の何処につけてもよいし衣類の奥の奥まで吹き抜けて発生する蒸気を吸収もしくは吹き飛ばす為の熱風の風圧風量を損なわない数であれば幾つ設けてもよい。
また、本発明は図１及び図３からもスチームアイロンやドライヤー兼用アイロンとは明らかに違うことと、熱風機能の熱源は底板加熱用の発熱体とは別々で完全に分離していて底板を加熱する為の熱源ではなく、熱風は飽くまでも別の発熱体で加熱した底板で衣類をアイロン掛けする際下方向に衣類の奥の奥の隙間まで吹き抜けさせて衣類の奥まで温めながらアイロン掛けで発生した蒸気を吸収もしくは吹き飛ばす為と衣類に残った水や蒸気がアイロン掛けした面へ戻らないよう奥まで乾燥さす為の熱風の熱源であり、底板を加熱する為の熱源とは別々であること、インバータ送風機５は衣類の過熱による焦げ防止にも用い構造も異なるので従来からあるアイロンとは明らかに違う。
【産業上の利用可能性】
【０００８】  本発明に係るアイロンは、工業的に量産することが可能である為、産業上の利用可能性を有する。
【図面の簡単な説明】
【０００９】
【図１】  底板に別の熱源のある従来のアイロンの一部にメッシュ状のヒーター、インバータ送風機、空気の通り道、エアシールカバー、空気孔、切換えスイッチによる熱風冷風機能を付けた本発明の正面図である。
【図２】  底板に別の熱源のある従来のアイロンの一部にメッシュ状のヒーター、インバータ送風機、空気の通り道、エアシールカバー、空気孔、切換えスイッチによる熱風冷風機能を付けた本発明の底面図である。
【図３】  同温同圧などにおける気体の湿度による乾燥力の違いを比較証明するための飽和水蒸気曲線図である。
【符号の説明】
【００１０】  １    切換えスイッチ
２    メッシュ状のヒーター
３    握り
４    空気の通り道
５    インバータ送風機
６    防護網
７    エアシールカバー
８    空気孔
９    ニクロム棒のような別の発熱体を備えた底板
１０  従来のアイロン
【図１】
2010046467.tif 000003
【図２】
2010046467.tif 000004
【図３】
2010046467.tif 000005